(57)【特許請求の範囲】
【請求項１】
生体の通過を検出する複数の検出器と、
前記各検出器の検出結果を報知する少なくとも１つの報知器と、
前記報知器に設けられ、ペアリング操作モードが設定された場合に、前記各検出器および前記報知器の全てに共通の基準周波数チャンネルおよび基準システムＩＤに基づく特定小電力無線通信により、その通信エリア内に存する前記各検出器および前記報知器のデバイスＩＤを検索し、検索した各デバイスＩＤ，当該報知器のデバイスＩＤ，前記基準周波数チャンネルとは異なる周波数チャンネル，前記基準システムＩＤとは異なるシステムＩＤを、前記各検出器および前記報知器の相互間に特定小電力無線通信による通信ネットワークを設定するためのペアリング設定用データとして、前記基準周波数チャンネルおよび前記基準システムＩＤに基づく特定小電力無線通信により送信しかつ当該報知器に登録するペアリング操作手段と、
前記各検出器に設けられ、ペアリング登録モードが設定された場合に、前記ペアリング操作手段の検索に応答して、当該検出器のデバイスＩＤを前記基準周波数チャンネルおよび前記基準システムＩＤに基づく特定小電力無線通信により送信し、かつ前記ペアリング操作手段から送信されるペアリング設定用データを受信して当該検出器に登録する第１ペアリング登録手段と、
前記報知器に設けられ、ペアリング登録モードが設定された場合に、前記ペアリング操作手段の検索に応答して、当該報知器のデバイスＩＤを前記基準周波数チャンネルおよび前記基準システムＩＤに基づく特定小電力無線通信により送信し、かつ前記ペアリング操作手段から送信されるペアリング設定用データを受信して当該報知器に登録する第２ペアリング登録手段と、
前記各検出器に設けられ、前記第１ペアリング登録手段により登録されたペアリング設定用データに基づいて前記報知器との特定小電力無線通信を実行する第１通信制御手段と、
前記報知器に設けられ、前記第２ペアリング登録手段により登録されたペアリング設定用データに基づいて前記各検出器との特定小電力無線通信を実行する第２通信制御手段と、
を備え、
前記各検出器は、
生体の通過を検出する通過検出手段と、
認証キーの接近を検出する認証キー検出手段と、
通常モードと反転モードを選択的に設定するモードスイッチと、
前記通常モードの設定時、前記通過検出手段が生体の通過を検出しかつその検出に際して前記認証キー検出手段が前記認証キーを検出しない場合に、警報の発生を前記通信ネットワークが確立された前記報知器に通知し、前記反転モードの設定時、前記通過検出手段が生体の通過を検出しかつその検出に際して前記認証キー検出手段が前記認証キーを検出した場合に、警報の発生を前記通信ネットワークが確立された前記報知器に通知する通知手段と、
前記通常モードおよび前記反転モードのどちらが設定されているかの情報を前記報知器に送信する手段と、
を含み、
前記報知器は、前記通知手段からの通知に応じて警報を発するとともに、前記各検出器における通常モードおよび反転モードの設定状態が互いに異なる場合にその旨を報知する、
ことを特徴とする外出通報装置。
【請求項２】
前記ペアリング操作手段は、前記検索した各デバイスＩＤ，当該報知器のデバイスＩＤ，予め定められた初期周波数チャンネルまたはその初期周波数チャンネルから変更設定される周波数チャンネル，予め定められた初期システムＩＤまたはその初期システムＩＤから変更設定される基準システムＩＤを、前記各検出器および前記報知器の相互間に特定小電力無線通信による通信ネットワークの親機と子機の関係を設定するためのペアリング設定用データとして、前記基準周波数チャンネルおよび前記基準システムＩＤに基づく特定小電力無線通信により送信しかつ当該報知器に登録する、
ことを特徴とする請求項１に記載の外出通報装置。
【請求項３】
前記報知器は、画像および文字を表示する表示部と、音声案内およびミュージック音を出力する音出力部とを含み、前記通知手段からの通知に応じた警報を前記表示部の表示および前記音出力部の出力により発する、
ことを特徴とする請求項１に記載の外出通報装置。
【請求項４】
前記報知器は、前記表示部の明るさ、前記音出力部の出力音量、前記音出力部の出力時間の長さを、前記表示部の案内表示およびその案内表示に応じた操作に基づき可変設定するための設定内容変更手段、を含む、
ことを特徴とする請求項３に記載の外出通報装置。
【発明の詳細な説明】
【技術分野】
【０００１】
本発明は、被介護者等の外出（通過）を検出して報知する外出通報装置に関する。
【背景技術】
【０００２】
認知症などの被介護者が居る家庭や施設では、被介護者が勝手に外出しないよう、被介護者の行動が家族や介護者により監視される。しかしながら、家事や仕事で忙しい家族や介護者にとって、被介護者の行動を常に観察することは大きな負担となっている。
【０００３】
とくに、家族が台所で家事をしているとき、家族が就寝しているとき、介護者が他の被介護者の世話をしているときなど、被介護者の外出に家族や介護者が気づかず、被介護者が道に迷って行方不明になったり、被介護者が交通事故に遭う可能性もある。
【０００４】
対策として、被介護者の外出（通過）を検出する検出器（送信器ともいう）、およびその検出器の検出結果を家族や介護者に知らせる報知器（受信器ともいう）を備え、これら検出器と報知器との間のデータ送受信を400MHz帯や920MHz帯の特定小電力無線通信による通信ネットワークを介して行う外出通報装置が開発され実用化されつつある。検出器は出入口である玄関等に設置され、報知器は居間・台所・寝室・事務室などに設置される。
【０００５】
この外出通報装置を稼働させるためには、検出器および報知器に対して特定小電力無線通信による通信ネットワークを構築するいわゆるペアリング（Pairing）の作業が必要となる。このペアリングは、パーソナルコンピュータ等の外部情報端末を検出器および報知器に接続し、通信ネットワークの親機と子機の関係を設定するのに必要なペアリング設定用データを外部情報端末から検出器および報知器に入力することにより行われる。
【０００６】
通信ネットワークの親機と子機の関係とは、通信を行う相手の役割（検知器であるか報知器であるか、或いは中継器であるか）が判っていること、相手の機器に固有のデバイスＩＤが判っていること、自己に通信される相手の機器に固有のデバイスＩＤが判っていつこと、通信する周波数チャンネル及び通信グループを表すシステムＩＤが１つに統一されていることである。共通の周波数チャンネルおよび共通のシステムＩＤを用いることで、自己の認知しないデバイスＩＤに送信することを避け、自己の認知しないデバイスＩＤからの受信には、一切反応せず、不要な通信や混信の防止を図るようにしている。
【先行技術文献】
【特許文献】
【０００７】
【特許文献１】特開２０１２−１００２８６号公報
【発明の概要】
【発明が解決しようとする課題】
【０００８】
パーソナルコンピュータ等の外部情報端末を用いて行うペアリングの場合、検出器および報知器の個々に対して外部情報端末の接続と取外しを繰返す作業が必要となり、作業に手間がかかるとともに、作業にかかる時間が長くなる。
【０００９】
検出器および報知器をレンタル用品として汎用的に使い回しながら顧客への貸出しと回収を繰返すようなビジネスモデルの場合、貸出しごとにペアリングの作業が必要となる。外出通知のような見守り機器の場合には、殆どがレンタルで運用される実態がある。貸出し終了後は、検出器および報知器がサービス拠点にまとめて一時保管される。次の貸出しでは、保管された多数の検出器および報知器の中から必要台数分の検出器および報知器が無作為に取出され、取出された検出器および報知器に対して通信ネットワークが新たに設定される。このため、ペアリングの作業が頻繁に発生する。この実状の為、ペアリング用の外部情報端末をその扱いに慣れた作業員と共に全てのサービス拠点に配置しなければならならず、コスト面および人事面で大きな負担となる。
【００１０】
本発明の目的は、検出器および報知器に対し、他の外部情報端末を用いることなく、特定小電力無線通信による通信ネットワークを容易に構築できる外出通報装置を提供することである。
【課題を解決するための手段】
【００１１】
請求項１に係る発明の外出通報装置は、生体の通過を検出する複数の検出器と、これら検出器の検出結果を報知する少なくとも１つの報知器と、を備える。そして、報知器は、ペアリング操作手段を含む。このペアリング操作手段は、ペアリング操作モードが設定された場合に、前記各検出器および前記報知器の全てに共通の基準周波数チャンネルおよび基準システムＩＤに基づく特定小電力無線通信により、その通信エリア内に存する前記各検出器および前記報知器のデバイスＩＤを検索し、検索した各デバイスＩＤ，当該報知器のデバイスＩＤ，前記基準周波数チャンネルとは異なる周波数チャンネル，前記基準システムＩＤとは異なるシステムＩＤを、前記各検出器および前記報知器の相互間に特定小電力無線通信による通信ネットワークを設定するためのペアリング設定用データとして、前記基準周波数チャンネルおよび前記基準システムＩＤに基づく特定小電力無線通信により送信しかつ当該報知器に登録する。前記各検出器は、第１ペアリング登録手段を含む。この第１ペアリング登録手段は、ペアリング登録モードが設定された場合に、前記ペアリング操作手段の検索に応答して、当該検出器のデバイスＩＤを前記基準周波数チャンネルおよび前記基準システムＩＤに基づく特定小電力無線通信により送信し、かつ前記ペアリング操作手段から送信されるペアリング設定用データを受信して当該検出器に登録する。また、報知器は、第２ペアリング登録手段を含む。この第２ペアリング登録手段は、ペアリング登録モードが設定された場合に、前記ペアリング操作手段の検索に応答して、当該報知器のデバイスＩＤを前記基準周波数チャンネルおよび前記基準システムＩＤに基づく特定小電力無線通信により送信し、かつ前記ペアリング操作手段から送信されるペアリング設定用データを受信して当該報知器に登録する。さらに、各検出器は、第１通信制御手段を含む。この第１通信制御手段は、前記第１ペアリング登録手段により登録されたペアリング設定用データに基づいて前記報知器との特定小電力無線通信を実行する。また、報知器は、第２通信制御手段を含む。この第２通信制御手段は、前記第２ペアリング登録手段により登録されたペアリング設定用データに基づいて前記各検出器との特定小電力無線通信を実行する。とくに、前記各検出器は、生体の通過を検出する通過検出手段と；認証キーの接近を検出する認証キー検出手段と；通常モードと反転モードを選択的に設定するモードスイッチと；前記通常モードの設定時、前記通過検出手段が生体の通過を検出しかつその検出に際して前記認証キー検出手段が前記認証キーを検出しない場合に、警報の発生を前記通信ネットワークが確立された前記報知器に通知し、前記反転モードの設定時、前記通過検出手段が生体の通過を検出しかつその検出に際して前記認証キー検出手段が前記認証キーを検出した場合に、警報の発生を前記通信ネットワークが確立された前記報知器に通知する通知手段と；前記通常モードおよび前記反転モードのどちらが設定されているかの情報を前記報知器に送信する手段と；を含む。前記報知器は、前記通知手段からの通知に応じて警報を発するとともに、前記各検出器における通常モードおよび反転モードの設定状態が互いに異なる場合にその旨を報知する。
【００１２】
請求項６に係る発明の外出通報装置の通信ネットワーク構築方法は、生体の通過を検出する少なくとも１つの検出器、およびこの検出器の検出結果を報知する少なくとも１つの報知器を備えた外出通報装置の通信ネットワーク構築方法であって、前記報知器は、ペアリング操作モードが設定された場合に、前記検出器および前記報知器の全てに共通の基準周波数チャンネルおよび基準システムＩＤに基づく特定小電力無線通信により、その通信エリア内に存する前記検出器および前記報知器のデバイスＩＤを検索し、検索した各デバイスＩＤ，当該報知器のデバイスＩＤ，前記基準周波数チャンネルとは異なる周波数チャンネル，前記基準システムＩＤとは異なるシステムＩＤを、前記検出器および前記報知器の相互間に特定小電力無線通信による通信ネットワークを設定するためのペアリング設定用データとして、前記基準周波数チャンネルおよび前記基準システムＩＤに基づく特定小電力無線通信により送信しかつ当該報知器に登録する。前記検出器は、ペアリング登録モードが設定された場合に、前記検索に応答して、当該検出器のデバイスＩＤを前記基準周波数チャンネルおよび前記基準システムＩＤに基づく特定小電力無線通信により送信し、かつ前記送信されるペアリング設定用データを受信して当該検出器に登録する。前記報知器は、ペアリング登録モードが設定された場合に、前記検索に応答して、当該報知器のデバイスＩＤを前記基準周波数チャンネルおよび前記基準システムＩＤに基づく特定小電力無線通信により送信し、かつ前記送信されるペアリング設定用データを受信して当該報知器に登録する。前記検出器は、前記登録したペアリング設定用データに基づいて前記報知器との特定小電力無線通信を実行する。前記報知器は、前記登録したペアリング設定用データに基づいて前記検出器との特定小電力無線通信を実行する。
【図面の簡単な説明】
【００１３】
【図１】一実施形態の全体的な外観を示す斜視図。
【図２】同実施形態の制御回路を示すブロック図。
【図３】同実施形態における報知器の制御を示すフローチャート。
【図４】同実施形態における報知器の初期画面および選択画面を示す図。
【図５】同実施形態における報知器のペアリング操作の処理を示すフローチャート。
【図６】同実施形態における報知器のペアリング操作に際しての表示画面を示す図。
【図７】同実施形態における報知器のペアリング操作が失敗した場合の表示画面を示す図。
【図８】図６に続く各種表示画面を示す図。
【図９】同実施形態における検出器および報知器のペアリング登録の処理を示すフローチャート。
【図１０】同実施形態における検出器の制御を示すフローチャート。
【図１１】同実施形態における報知器の報知の処理を示すフローチャート。
【図１２】同実施形態における報知器の通過警報画面を示す図。
【図１３】同実施形態における報知器の案内表示画面を示す図。
【図１４】同実施形態における報知器のスピーカ音量アイコンの変化を示す図。
【図１５】同実施形態における報知器の充電中表示画面および充電完了表示画面を示す図。
【図１６】同実施形態における報知器の通信不能画面を示す図。
【発明を実施するための形態】
【００１４】
以下、本発明の一実施形態について図面を参照して説明する。  
図１に示す検出器１、複数台の報知器２、複数の認証キー３により、生体たとえば被介護者の外出（通過）を検出して報知する外出通報装置（在宅見守り装置や“おでかけキャッチ”ともいう）が構成される。
【００１５】
検出器１は、一般家庭の家屋や介護施設などの出入口たとえば玄関に設置され、認知症などの被介護者の通過を例えば超音波により前方約２ｍの範囲で検出する。報知器２は、検出器１との間に400MHz帯や920MHz帯の特定小電力無線通信による通信ネットワークが確立されている場合に検出器１とデータ送受信することが可能で、家の居間・台所・寝室、あるいは介護施設の事務室などに設置され、検出器１が被介護者の外出（通過）を検出した場合にその旨を報知する。検出器１と報知器２との間の通信可能距離は、通信経路に何も障害物の無い所謂見通し距離として４００ｍ以上である。
【００１６】
認証キー３は、被介護者を介護する立場の家族や職員（介護者という）が常に携帯しておくもので、介護者が検出器１に接近した場合にその接近を検出器１との微弱電波による双方向無線通信によって検出器１に検出せしめる。認証キー３の検出可能距離は、約１ｍである。
【００１７】
検出器１と報知器２との間で特定小電力無線通信によるデータ送受信を行うためには、共通の周波数チャンネルを使用すること、同じ通信グループであることを表す共通のシステムＩＤを持つこと、送信元の機器および送信先の機器がそれぞれに固有のデバイスＩＤを互いに知っていること、送信先のデバイスＩＤを送信時に指定することなどが条件となる。検出器１のデバイスＩＤは、検出器１の個々を識別するための識別用データであり、当該検出器１が通信ネットワーク上で親機となることを示すコードを含む。報知器２のデバイスＩＤは、報知器２の個々を識別するための識別用データであり、当該報知器２が通信ネットワーク上で子機となることを示すコードを含む。システムＩＤは、通信ネットワークを１つのシステムとして他の通信ネットワークと区別するための識別用データである。
【００１８】
検出器１および報知器２をレンタル用品として汎用的に使い回しながら顧客への貸出しと回収を繰返すビジネスモデルの場合、多数台の検出器１、多数台の報知器２、多数の認証キー３がサービス拠点に一時保管され、必要台数分の検出器１および報知器２と必要個数分の認証キー３とがサービス拠点から持ち出されて顧客に貸与される。貸与された検出器１、報知器２、認証キー３は、顧客との契約が切れたり故障した場合にサービス拠点に回収され、その後、洗浄・消毒・美観捕集などの保守や修理を経て再び貸し出される。当該装置を実際に使用する場合の検出器１の増設可能台数は最大で例えば３台であり、報知器２の増設可能台数も最大で例えば３台である。認証キー３の使用可能数に制限はない。被介護者の外出を検出して報知するためには、少なくとも１台の検出器１、少なくとも１台の報知器２、および少なくとも１つの認証キー３があればよい。
【００１９】
検出器１は、筐体前面に超音波センサ１１および表示部１２、筐体側面にＡＣアダプタ差込口１３、筐体内に後述の初期設定スイッチ１４、筐体背面に後述の電源スイッチ１５を備え、ＡＣアダプタ差込口１３に接続されるＡＣアダプタから直流電圧を受けて動作し、筐体前面の前を生体である人体あるいはペット等の動物が通過した場合にその通過を超音波により検出するとともに、認証キー３の接近をその認証キー３との微弱電波による双方向無線通信によって検出する。
【００２０】
超音波センサ１１は、超音波信号を発する発信部１１ａ、およびその発信部１１ａから発せられて前方の壁で反射し戻ってくる超音波信号を受ける受信部１１ｂを含む。表示部１２は、各報知器２へのデータ送信時に点灯する送信ランプ（赤色発光ダイオード）１２ａ、電源スイッチ１５のオン時に点灯する電源ランプ（緑色発光ダイオード）１２ｂ、生体の通過を検出したときに点灯する通過検出ランプ（橙色発光ダイオード）１２ｃ、認証キー３の接近を検出したときに点灯する認証キー検出ランプ（赤色発光ダイオード）１２ｄを含む。初期設定スイッチ１４は、検出器１の筐体内に配置された押し釦式のスイッチであり、筐体背面に形成された小さな挿通孔に棒状部材が挿入されて押圧されることにより、作動する。電源スイッチ１５は、検出器１の筐体の背面に配置されたシーソー式スイッチであり、手指でオン，オフ操作することができる。
【００２１】
報知器２は、筐体前面に表示部２１および通音部２２、筐体側面に設定スイッチ２３と電源スイッチ２４とＡＣアダプタ差込口２５、筐体内に後述の初期設定スイッチ２６を備え、ＡＣアダプタ差込口２５に接続されるＡＣアダプタから直流電圧を受けて内部の電池を充電しかつその充電電圧により動作し、検出器１が特定の生体の通過を検出した場合に表示部２１の表示および音声案内やミュージック音による警報を発する。表示部２１は、画像および文字を表示する液晶ディスプレイ２１ａ、検出器１からのデータ受信時に点灯する受信ランプ（赤色発光ダイオード）２１ｂ、確認釦２１ｃを含む。通音部２２は、後述の音出力部２８が発する音声案内やミュージック音を通す。設定スイッチ２３は、手指による上方へのスライド操作、下方へのスライド操作、押圧操作（クリック操作ともいう）が可能である。電源スイッチ２４は、手指によるオン，オフ操作が可能なスライドスイッチである。初期設定スイッチ２６は、報知器２の筐体内に配置された押し釦式のスイッチであり、筐体背面に形成された小さな挿通孔に棒状部材が挿入されて押圧されることにより、作動する。
【００２２】
認証キー３は、小型電池を内蔵し、かつ検出器１に登録済みの認証用コードを内部メモリに記憶しており、その認証用コードを検出器１との微弱電波による双方向無線通信よって検出器１に認証させる。この認証により、検出器１に対する認証キー３の接近を検出器１に検出させることができる。なお、認証キー３は、人の手指に収まる大きさで、外周面に電池残量確認釦３１および電池残量表示ランプ（発光ダイオード）３２を有する。
【００２３】
この外出通報装置の制御回路を図２に示す。  
検出器１は、超音波センサ１１、表示部１２、初期設定スイッチ１４、電源スイッチ１５のほかに、コントローラ１０、認証キー用無線通信部１６ａ、報知器用無線通信部１６ｂ、メモリ１７、モードスイッチ１８を有する。認証キー用無線通信部１６ａは、所謂ＲＦＩＤ（Radio Frequency IDentification）規格に従って認証キー３との微弱電波による双方向無線通信を行う。報知器用無線通信部１６ｂは、報知器２との特定小電力無線通信を行う。モードスイッチ１８は、検出器１の背面に配置されたスライドスイッチであって、認証キー３を持たない者の外出を検出して報知する通常モードと、認証キー３を持つ者の外出を検出して報知する反転モードとを選択的に切換え設定することができる。
【００２４】
コントローラ１０は、主要な機能として、通過検出手段１０ａ、認証キー検出手段１０ｂ、通知手段１０ｃ、第１ペアリング登録手段１０ｄ、第１通信制御手段１０ｅを含む。  
通過検出手段１０ａは、超音波センサ１１の発信部１１ａが超音波信号を発するタイミングと、超音波センサ１１の受信部１１ｂが超音波信号を受けるタイミングとの時間差に基づき、検出器１の前方における生体の通過を検出する。
【００２５】
認証キー検出手段１０ｂは、当該検出器１への認証キー３の接近をその認証キー３との認証キー用無線通信部１６ａを介した無線通信により検出する。
【００２６】
通知手段１０ｃは、モードスイッチ１８で標準モードが設定されているとき、通過検出手段１０ａが生体の通過を検出しかつその検出に際して前記認証キー検出手段１０ｂが認証キー３を検出しない場合に、警報の発生を特定小電力無線通信による通信ネットワークが確立された報知器２に対し報知器用無線通信部１６ｂを介して通知する。なお、モードスイッチ１８で反転モードが設定されているとき、通知手段１０ｃは、通過検出手段１０ａが生体の通過を検出しかつその検出に際して前記認証キー検出手段１０ｂが認証キー３を検出した場合に、警報の発生を特定小電力無線通信による通信ネットワークが確立された報知器２に対し報知器用無線通信部１６ｂを介して通知する。
【００２７】
第１ペアリング登録手段１０ｄは、当該検出器１でペアリング登録モードが設定された場合に、報知器２における後述のペアリング操作手段２０ａの検索に応答して、当該検出器１のデバイスＩＤを予め定められている基準周波数チャンネルおよび基準システムＩＤに基づく特定小電力無線通信により送信し、かつ報知器２のペアリング操作手段２０ａから送信されるペアリング設定用データを受信して当該検出器１のメモリ１７に登録（記憶）する。登録するデータの具体例として、通信ネットワークの構成要素である全ての検出器１の個数およびデバイスＩＤ、当該検出器１の通信相手となる他の検出器１および報知器２のデバイスＩＤ、中継器が存在する通信ネットワークの場合は通信相手となる中継器のデバイスＩＤ、検出器１が検出結果を送信する先の報知器２の個数およびその各報知器２のデバイスＩＤ等がある。基準周波数チャンネルおよび基準システムＩＤは、各サービス拠点に配置されている検出器１および報知器２の全てに共通のもので、当該検出器１が製品として出荷される時点でメモリ１７に登録（記憶）される。
【００２８】
第１通信制御手段１０ｅは、第１ペアリング登録手段１０ｄにより登録されたペアリング設定用データに基づいて、報知器２との特定小電力無線通信を実行する。
【００２９】
一方、報知器２は、表示部２１、設定スイッチ２３、電源スイッチ２４、初期設定スイッチ２６のほかに、コントローラ２０、無線通信部２７、音出力部２８、メモリ２９、バッテリ電源ユニット３０を有する。無線通信部２７は、検出器１との特定小電力無線通信を行う。音出力部２８は、スピーカを含み、警報発生前の効果音、音声案内、ミュージック音たとえばＢＧＭ（バックグラウンドミュージック）音を発する。バッテリ電源ユニット３０は、充電可能な電池（例えばリチウム電池）およびその電池に対する充電回路を含み、その電池の電圧を当該報知器２の動作用電圧として出力する。報知器２は、警報を発する警報器であることから、充電中であっても電池電圧によって動作を継続する必要があり、このため負荷供給型の充電回路を備え、電源が喪失することはない。
【００３０】
コントローラ２０は、主要な機能として、ペアリング操作手段２０ａ、第２ペアリング登録手段２０ｂ、第２通信制御手段２０ｃ、警報手段２０ｄ、設定内容変更手段２０ｅを含む。
【００３１】
ペアリング操作手段２０ａは、当該報知器２でペアリング操作モードが設定された場合に、上記基準周波数チャンネルおよび上記基準システムＩＤに基づく特定小電力無線通信により、その通信エリア内に存する検出器１および各報知器２のデバイスＩＤを検索し、検索した各デバイスＩＤ，当該報知器２のデバイスＩＤ，上記基準周波数チャンネルとは異なる周波数チャンネル，上記基準システムＩＤとは異なるシステムＩＤを、検出器１および各報知器２の相互間に特定小電力無線通信による通信ネットワークの親機と子機の関係を設定するためのペアリング設定用データとして、上記基準周波数チャンネルおよび上記基準システムＩＤに基づく特定小電力無線通信により送信しかつ当該報知器２のメモリ２９に登録する。登録するデータの具体例として、通信ネットワークの構成要素である全ての検出器１の個数およびデバイスＩＤ、当該検出器１の通信相手となる他の検出器１および報知器２のデバイスＩＤ、中継器が存在する通信ネットワークの場合は通信相手となる中継器のデバイスＩＤ、検出器１が検出結果を送信する先の報知器２の個数およびその各報知器２のデバイスＩＤ等がある。基準周波数チャンネルおよび基準システムＩＤは、上記したように、検出器１および報知器２の全てに共通のもので、当該報知器２が製品として出荷される時点でメモリ２９に登録（記憶）される。
【００３２】
基準周波数チャンネルと異なる周波数チャンネルとして、予め定められた初期周波数チャンネルおよびその初期周波数チャンネルからの変更設定が可能な複数の周波数チャンネルがメモリ２９に記憶されている。基準システムＩＤと異なるシステムＩＤとして、予め定められた初期システムＩＤおよびその初期システムＩＤからの変更設定が可能な複数のシステムＩＤがメモリ２９に記憶されている。
【００３３】
第２ペアリング登録手段２０ｂは、当該報知器２でペアリング登録モードが設定された場合に、ペアリング操作モードが設定された他の報知器２におけるペアリング操作手段２０ａからの検索に応答して、当該報知器２のデバイスＩＤを上記基準周波数チャンネルおよび上記基準システムＩＤに基づく特定小電力無線通信により送信し、かつペアリング操作手段２０ａから送信されるペアリング設定用データを受信して当該報知器２のメモリ２９に登録（記憶）する。
【００３４】
第２通信制御手段２０ｃは、第２ペアリング登録手段２０ｂにより登録されたペアリング設定用データに基づいて、検出器１との特定小電力無線通信を実行する。
【００３５】
警報手段２０ｄは、通信ネットワークが確立された検出器１から警報発生の通知を無線通信部２７を介して受けた場合に、表示部２１の表示および音出力部２８からの音声案内やミュージック音による警報を発する。
【００３６】
設定内容変更手段２０ｅは、表示部２１における液晶ディスプレイ２１ａの明るさ、音出力部２８の出力音量、音出力部２８の出力時間の長さなどを、表示部２１における液晶ディスプレイ２１ａの案内表示およびその案内表示に応じた操作（設定スイッチ２３の操作）に基づき可変設定する。
【００３７】
［報知器２の制御］  
報知器２のコントローラ２０が実行する制御を図３のフローチャートを参照しながら説明する。  
電源スイッチ２４がオンされた場合（ステップＳ１のＹＥＳ）、コントローラ２０は、図４に示す初期画面４１を液晶ディスプレイ２１ａで表示する（ステップＳ２）。初期画面４１は、各種設定アイコンＡ１、スピーカ音量表示アイコンＡ２、チャイルドロック表示アイコンＡ３、電波強度表示アイコンＡ４、電池残量表示アイコンＡ５を含む。
【００３８】
初期画面４１が表示されている状態において、設定スイッチ２３が上方または下方にスライド操作されると、コントローラ２０は、アイコンＡ１〜Ａ５のいずれか１つを指定するための枠状のカーソルＣを初期画面４１上に表示するとともに、そのカーソルＣを設定スイッチ２３のスライド操作ごとにアイコンＡ１〜Ａ５上で順次に移動する。カーソルＣが各種設定アイコンＡ１に合わされた状態で設定スイッチ２３が押圧操作されると（ステップＳ３のＹＥＳ）、コントローラ２０は、図４に示す選択画面４２を液晶ディスプレイ２１ａで表示する（ステップＳ４）。選択画面４２は、各種動作モードを指定するための指標『VBAT』『RSSI』『ALAM』『HAN』『LOG』『ret/』を含む。指標『VBAT』は、電池の電圧レベルを確認するモードの指定用である。一般的に特定小電力無線通信部を内蔵する機器は本体ケースを容易に開封することができない構造とするため、この指標『VBAT』のモードを指定することで、本体ケースを開封することなく電池の電圧レベルを知ることができる。指標『RSSI』は、電界強度を確認するモードの指定用である。指標『ALAM』は、ネットワーク構成器相互間の警報パターンを可変設定するモードの指定用である。指標『HAN』は、Home Area Networkの略で、ペアリング登録モードの指定用である。指標『LOG』は、報知情報発生回数、通信障害発生回数、電池充電警告発生回数、電池充電回数等の記録を確認するモードの指定用である。指標『ret/』は、前の処理を戻るためのリターンキーに相当する。
【００３９】
カーソルＣが指標『HAN』に合わされた状態で設定スイッチ２３が押圧操作されると（ステップＳ５のＹＥＳ）、コントローラ２０は、ペアリング操作モードを設定してその処理を実行する（ステップＳ６）。このペアリング操作の処理については後述する。
【００４０】
カーソルＣが指標『HAN』以外の他の指標に合わされた状態で設定スイッチ２３が押圧操作された場合（ステップＳ５のＮＯ、ステップＳ７のＹＥＳ）、コントローラ２０は、他の指標に対応するモードの処理を実行する（他の処理；ステップＳ８）。この処理の終了後、コントローラ２０は、電源スイッチ２４がオフでなければ（ステップＳ９のＮＯ）、ステップＳ２に戻って初期画面４１を表示する。
【００４１】
初期画面４１が表示されている状態において、カーソルＣが各種設定アイコンＡ１以外の他のアイコンに合わされた状態で設定スイッチ２３が押圧操作された場合（ステップＳ３のＮＯ、ステップＳ１０のＹＥＳ）、コントローラ２０は、他のアイコンに対応するモードの処理を実行する（他の処理；ステップＳ１１）。この処理の終了後、コントローラ２０は、電源スイッチ２４がオフでなければ（ステップＳ９のＮＯ）、ステップＳ２に戻って初期画面４１を表示する。
【００４２】
初期画面４１が表示されている状態において、アイコンＡ１〜Ａ５のいずれも指定されない場合（ステップＳ３のＮＯ、ステップＳ１０のＮＯ）、コントローラ２０は、報知モードを設定してその処理を実行する（ステップＳ１２）。この報知の処理については後述する。
【００４３】
電源スイッチ２４がオフの状態で（ステップＳ１のＮＯ）、初期設定スイッチ２６が押圧操作され、その押圧操作が維持された状態で電源スイッチ２４がオンされた場合（同時操作；ステップＳ１３のＹＥＳ）、コントローラ２０は、ペアリング登録モードを設定してその処理を実行する（ステップＳ１４）。このペアリング登録の処理については後述する。
【００４４】
［報知器２のペアリング操作の処理］  
検出器１および報知器２のペアリングを行う場合、作業員は、ペアリングしたい検出器１および報知器２を互いの通信エリアに入る状態に集める。報知器２が複数台の場合、作業員は、いずれか１台の報知器２をペアリング操作用として選定し、選定した報知器２においてペアリング操作モードを設定する。さらに、作業員は、選定した報知器２を除く残りの報知器２においてペアリング登録モードを設定し、かつ検出器１においてもペアリング登録モードを設定する。検出器１におけるペアリング登録モードの設定方法については、後述する。
【００４５】
ペアリング操作用の報知器２のコントローラ２０が実行するペアリング操作の処理について、図５のフローチャートを参照しながら説明する。  
ペアリング操作モードが設定された場合、コントローラ２０は、検出器１および報知器２の全てに共通の基準周波数チャンネル（ベースＣｈともいう）および基準システムＩＤ（ベースシステムＩＤともいう）を設定する（ステップＳ２１）。この場合、コントローラ２０は、予め登録されている２つの基準周波数チャンネル『３４』『５９』のうち、先ずは基準周波数チャンネル『５９』を選択するための図６に示すチャンネル選択画面４３を液晶ディスプレイ２１ａで表示する（ステップＳ２２）。この表示に伴い、コントローラ２０は、設定スイッチ２３の押圧操作（確定操作）を監視するとともに（ステップＳ２３）、設定スイッチ２３のスライド操作（変更操作）を監視する（ステップＳ２３のＮＯ、ステップＳ２４）。
【００４６】
押圧操作がないまま設定スイッチ２３がスライド操作された場合（ステップＳ２３のＮＯ、ステップＳ２４のＹＥＳ）、コントローラ２０は、チャンネル選択画面４３に代えて、残りのもう１つの基準周波数チャンネル『３４』を選択するための図６に示すチャンネル選択画面４４を液晶ディスプレイ２１ａで表示する（ステップＳ２５）。この表示に伴い、コントローラ２０は、再び、設定スイッチ２３の押圧操作を監視するとともに（ステップＳ２３）、設定スイッチ２３のスライド操作を監視する（ステップＳ２３のＮＯ、ステップＳ２４）。
【００４７】
設定スイッチ２３が押圧操作された場合（ステップＳ２３のＹＥＳ）、コントローラ２０は、その時点で表示している基準周波数チャンネルを確定とし、その基準周波数チャンネルおよびステップＳ２１で設定した基準システムＩＤ（ベースＩＤ）に基づく特定小電力無線通信により、その通信エリア内に存する検出器１および各報知器２のデバイスＩＤを検索する（ステップＳ２６）。すなわち、コントローラ２０は、特定小電力無線通信の通信エリア内に存する検出器１および各報知器２からそれぞれのデバイスＩＤを当該報知器２に返信してもらうべく、その返信の指示が基準システムＩＤおよび当該報知器２のデバイスＩＤと共に含まれる検索用データを周りの検出器１および報知器２に向けて一斉送信する。この送信周波数は全ての機器に共通の基準周波数チャンネルであり、しかも送信する検索用データには全ての機器に共通の基準システムＩＤが含まれているので、通信エリア内に存在する検出器１および報知器２の全てが検索を受け入れることができる。なお、基準システムＩＤは１つだけ用意した『ＦＢ』しかないので、その選択を作業員に要求する処理はない。
【００４８】
この検索に際し、コントローラ２０は、検索中(Searching)であることを作業員に伝えるための図６に示す検索中画面４５を液晶ディスプレイ２１ａで表示する。検索に要する時間は数秒である。
【００４９】
検索開始から所定時間が経過した時点において、検出器１および報知器２のデバイスＩＤを受信している場合、コントローラ２０は、検索が完了したとの判断の下に（ステップＳ２７のＹＥＳ）、受信した全てのデバイスＩＤが予め定められた初期周波数チャンネル『３３』と共に含まれる図６に示す検索結果表示画面４６を液晶ディスプレイ２１ａで表示する（ステップＳ２８）。表示されるデバイスＩＤのうち、検出器１のデバイスＩＤは、当該検出器１が通信ネットワーク上の親機となることを示すコードを含む。表示されるデバイスＩＤのうち、報知器２のデバイスＩＤは、当該報知器２が通信ネットワーク上の子機となることを示すコードを含む。
【００５０】
なお、検索開始から所定時間が経過したにもかかわらず、電波状態などの影響により、検索が完了しない場合がある。この場合、コントローラ２０は、検索に失敗したとの判断の下に（ステップＳ２７のＮＯ）、失敗（Fault）であることを作業員に伝えるための図７に示す失敗表示画面４７を液晶ディスプレイ２１ａで表示する（ステップＳ３０）。この表示を確認した作業員によって確認釦２１ｃが押圧操作された場合（ステップＳ３０のＹＥＳ）、コントローラ２０は、図３のフローチャートのステップＳ４に戻って選択画面４２を表示する。この場合、作業員は、選択画面４２上の指標『HAN』によりペアリング操作モードを再設定することにより、検索をやり直すことができる。
【００５１】
上記検索結果表示画面４６の表示に伴い、コントローラ２０は、設定スイッチ２３の押圧操作（確定操作）を監視するとともに（ステップＳ３１）、設定スイッチ２３のスライド操作（変更操作）を監視する（ステップＳ３１のＮＯ、ステップＳ３２）。押圧操作がないまま設定スイッチ２３がスライド操作された場合（ステップＳ３１のＮＯ、ステップＳ３２のＹＥＳ）、コントローラ２０は、検索結果表示画面４６に代えて、基準周波数チャンネル『３４』『５９』および初期周波数チャンネル『３３』のどちらとも異なる新たな周波数チャンネル『４０』が検索結果の各デバイスＩＤと共に含まれる図８に示すチャンネル選択画面４８を液晶ディスプレイ２１ａで表示する（ステップＳ３３）。この表示に伴い、コントローラ２０は、再び、設定スイッチ２３の押圧操作を監視するとともに（ステップＳ３１）、設定スイッチ２３のスライド操作を監視する（ステップＳ３１のＮＯ、ステップＳ３２）。
【００５２】
基準周波数チャンネル『３４』『５９』および初期周波数チャンネル『３３』のどちらとも異なる新たな周波数チャンネルとして例えば『３５』〜『５８』の数十チャンネルが用意されており、これら周波数チャンネルの表示を設定スイッチ２３のスライド操作によって順次に切替えることができる。
【００５３】
設定スイッチ２３が押圧操作された場合（ステップＳ３１のＹＥＳ）、コントローラ２０は、その時点で表示している周波数チャンネルを確定とし、チャンネル選択画面４８に代えて、基準システムＩＤ『ＦＢ』とは異なる初期システムＩＤ『ＫＡ』が検索結果の各デバイスＩＤと共に含まれる図８に示すシステムＩＤ選択画面４９を液晶ディスプレイ２１ａで表示する（ステップＳ３４）。このシステムＩＤ選択画面４９の表示に伴い、コントローラ２０は、設定スイッチ２３の押圧操作（確定操作）を監視するとともに（ステップＳ３５）、設定スイッチ２３のスライド操作（システムＩＤ変更操作）を監視する（ステップＳ３５のＮＯ、ステップＳ３６）。
【００５４】
押圧操作がないまま設定スイッチ２３がスライド操作された場合（ステップＳ３５のＮＯ、ステップＳ３６のＹＥＳ）、コントローラ２０は、システムＩＤ選択画面４９に代えて、基準システムＩＤ『ＦＢ』および初期システムＩＤ『ＫＡ』のどちらとも異なる新たなシステムＩＤ『ＫＨ』が検索結果の各デバイスＩＤと共に含まれる図８に示すシステムＩＤ選択画面５０を液晶ディスプレイ２１ａで表示する（ステップＳ３７）。この表示に伴い、コントローラ２０は、再び、設定スイッチ２３の押圧操作を監視するとともに（ステップＳ３５）、設定スイッチ２３のスライド操作を監視する（ステップＳ３５のＮＯ、ステップＳ３６）。
【００５５】
基準システムＩＤ『ＦＢ』および初期システムＩＤ『ＫＡ』のどちらとも異なる新たなシステムＩＤとして例えば『ＫＢ』〜『ＫＪ』の数個が用意されており、これらシステムＩＤの表示を設定スイッチ２３のスライド操作によって順次に切替えることができる。
【００５６】
設定スイッチ２３が押圧操作された場合（ステップＳ３５のＹＥＳ）、コントローラ２０は、ペアリング設定用データを生成する（ステップＳ３８）。ペアリング設定用データは、検出器１および各報知器２の相互間に特定小電力無線通信による通信ネットワークの親機と子機の関係を設定するためのもので、検索結果の各デバイスＩＤ、当該報知器２のデバイスＩＤ、確定済みの周波数チャンネル、確定済みのシステムＩＤを含む。そして、コントローラ２０は、生成したペアリング設定用データを、基準周波数チャンネルおよび基準システムＩＤに基づく特定小電力無線通信により送信しかつ当該報知器２のメモリ２９に登録する（ステップＳ３９）。この登録により、当該報知器２と検出器１との特定小電力無線通信による通信ネットワークが確立する。
【００５７】
この登録に伴い、コントローラ２０は、当該報知器２の再起動（Please Restart）を作業員に促すための図８に示す再起動報知画面５１を液晶ディスプレイ２１ａで表示する（ステップＳ４０）。この表示を見た作業員によって電源スイッチ２４が一旦オフされて再びオンされることにより、コントローラ２０はペアリング操作モードから離脱する。
【００５８】
［報知器２のペアリング登録の処理］  
ペアリング操作用の報知器２を除く他の報知器２のコントローラ２０が実行するペアリング登録の処理について、図９のフローチャートを参照しながら説明する。  
ペアリング登録モードが設定された場合、コントローラ２０は、ペアリング操作用の報知器２におけるペアリング操作手段２０ａの検索に応答して（ステップＳ５１）、当該報知器２のデバイスＩＤを基準周波数チャンネルおよび基準システムＩＤに基づく特定小電力無線通信により送信する（ステップＳ５２）。そして、コントローラ２０は、ペアリング操作用の報知器２からのペアリング設定用データの送信を待つ(ステップＳ５３)。
【００５９】
ペアリング設定用データを受信した場合（ステップＳ５３のＹＥＳ）、コントローラ２０は、受信したペアリング設定用データをメモリ２９に登録する。この登録により、当該報知器２と検出器１との特定小電力無線通信による通信ネットワークが確立する。
【００６０】
［検出器１の制御］  
検出器１のモードスイッチ１８で通常モードが設定されている場合に、検出器１のコントローラ１０が実行する制御を図１０のフローチャートを参照しながら説明する。  
電源スイッチ１５がオンされた場合（ステップＳ６１のＹＥＳ）、コントローラ１０は、当該検出器１の前方における生体の通過を検出するとともに、当該検出器１への認証キー３の接近を検出する（ステップＳ６２）。生体の通過を検出し（ステップＳ６３のＹＥＳ）、かつその検出に際して認証キー３を検出しない場合（ステップＳ６４のＹＥＳ）、コントローラ１０は、警報の発生を特定小電力無線通信による通信ネットワークが確立された報知器２に通知する（ステップＳ６５）。続いて、コントローラ１０は、電源スイッチ１５のオフを監視する（ステップＳ６６）。電源スイッチ１５がオフでない場合（ステップＳ６６のＮＯ）、コントローラ２０は、ステップＳ６２の検出処理に戻る。
【００６１】
生体の通過を検出した場合でも（ステップＳ６３のＹＥＳ）、その検出に際して認証キー３を検出した場合には（ステップＳ６４のＮＯ）、コントローラ１０は、警報を通知することなく、ステップＳ６６の電源スイッチ１５の監視に移る。
【００６２】
すなわち、認証キーを持たない被介護者が検出器１の前を通過して外出した場合のみ、警報の発生が各報知器２に通知される。認証キーを持つ家族や介護者が検出器１の前を通過して外出した場合、警報の発生は各報知器２に通知されない。
【００６３】
電源スイッチ１５がオフの状態で（ステップＳ６１のＮＯ）、初期設定スイッチ１４が押圧操作され、その押圧操作が維持された状態で電源スイッチ１５がオンされた場合（同時操作；ステップＳ６７のＹＥＳ）、コントローラ２０は、ペアリング登録モードを設定してその処理を実行する（ステップＳ６８）。
【００６４】
［検出器１のペアリング登録の処理］  
検出器１のペアリング登録の処理は、ペアリング操作用の報知器２を除く他の報知器２で実行される図９のペアリング登録の処理と同じである。
【００６５】
すなわち、図９のフローチャートに示すように、ペアリング登録モードが設定された場合、コントローラ１０は、ペアリング操作用の報知器２からの検索に応答して（ステップＳ５１）、当該検出器１のデバイスＩＤを基準周波数チャンネルおよび基準システムＩＤに基づく特定小電力無線通信により送信する（ステップＳ５２）。そして、コントローラ１０は、ペアリング操作用の報知器２からのペアリング設定用データの送信を待つ(ステップＳ５３)。
【００６６】
ペアリング設定用データを受信した場合（ステップＳ５３のＹＥＳ）、コントローラ１０は、受信したペアリング設定用データをメモリ１７に登録する。この登録により、当該検出器１と各報知器２との特定小電力無線通信による通信ネットワークが確立する。
【００６７】
［報知器２の警報発生］  
報知器２のコントローラ２０は、通信ネットワークが確立された検出器１から警報発生の通知を受けた場合（ステップＳ７１のＹＥＳ）、表示部２１の表示および音出力部２８からの音声案内やＢＧＭ音による警報を発する（ステップＳ７２）。すなわち、コントローラ２０は、通過の文字を含む図１２の通過警報画面５２を液晶ディスプレイ２１ａで表示するとともに、例えば『被介護者が外出しました』という音声案内およびその音声案内の前後で、家族や介護者の緊張を緩和する比較的おだやかなＢＧＭ音を発する。そして、コントローラ２０は、この警報発生を検出器１との通信履歴としてメモリ２９に記憶する（ステップＳ７３）。
【００６８】
［報知器２の他の処理］
図４の選択画面４２において、カーソルＣが指標『ALAM』の指標に合わされた状態で設定スイッチ２３が押圧操作された場合、コントローラ２０は、図１３に示す種々の案内表示画面５３〜５９を液晶ディスプレイ２１ａで逐次に切替え表示しながら、その各案内表示画面に応じた操作（設定スイッチ２３の操作）に基づいて、液晶ディスプレイ２１ａの明るさ、音出力部２８の出力音量、音出力部２８の出力時間の長さなどを可変設定する。
【００６９】
案内表示画面５３では、液晶ディスプレイ２１ａの明るさを例えば１１段階で可変設定することができる。案内表示画面５４では、液晶ディスプレイ２１ａのコントラストを例えば４１段階で可変設定することができる。案内表示画面５５は、ドットチェック用であり、液晶ディスプレイ２１ａの液晶に破損がないか確認することができる。案内表示画面５６では、音出力部２８の出力音量を例えば消音・小・中・大の４段階で可変設定することができる。案内表示画面５７では、音出力部２８のＢＧＭ音を例えば１０種類の中から選定することができる。当該装置を実際に使用する場合の検出器１の増設可能台数は最大で例えば３台まで選べるようになっているが、ＢＧＭ音は、各検出器１毎に自動的に振り当てることがデフォルトとなっている。ＢＧＭ音が各検出器１毎に異なることにより、家族や介護者はどの玄関または出入口において外出が検出されたかを容易に認識することができる。
【００７０】
案内表示画面５８では、音出力部２８のＢＧＭ音の出力時間を例えば30秒・60秒・90秒のいずれかに可変設定することができる。案内表示画面５９では、当該検出器１の制御プログラムのバージョン情報を知ることができる。一方、報知器２の制御プログラムのバージョン情報は、各種設定アイコンＡ１を指定したとき、各種設定アイコンＡ１の下方に表示される。検出器１と報知器２は、互いに無線通信するので、何らかの必要性から片方の機器の制御プログラムを更新した場合、無線通信に影響を与えることが起こり得る。このため、検出器１および報知器２の制御プログラムのバージョン情報は、管理上の重要情報である。一般的に制御プログラムのバージョン情報は、コントローラ素子の上面に貼付されるシールに記載されるが、先に記述のとおり、本体ケースの開封は容易でないため、任意の１つの報知器２で制御プログラムのバージョン情報を判別できるようにしている。
【００７１】
図４の初期画面４１において、カーソルＣがスピーカ音量アイコンＡ２に合わされた状態で設定スイッチ２３が押圧操作された場合、スピーカ音量アイコンＡ２の表示が点滅を開始し、その状態で設定スイッチ２３をスライド操作するごとに、図１４に示すようにスピーカ音量アイコンＡ２のレベルパターンが消音・小・中・大の４段階で順に切替わる。この切替え表示と設定スイッチ２３の押圧操作とにより、スピーカの実際の音量を可変設定することができる。
【００７２】
報知器２のＡＣアダプタ差込口２５にＡＣアダプタが接続され、バッテリ電源ユニット３０内のバッテリ電源が充電されている場合、コントローラ２０は、図１５に示すように、充電中であることを文字で知らせる充電中表示画面６０を液晶ディスプレイ２１ａで表示する。充電が完了すると、コントローラ２０は、充電完了であることを文字で知らせる充電完了表示画面６１を液晶ディスプレイ２１ａで表示する。報知器２の電源スイッチ２４がオフの状態で充電が行われた場合、コントローラ２０は、図１６に示すように、検出器１との通信が不能であることを文字で知らせる通信不能表示画面６２を液晶ディスプレイ２１ａで表示する。
【００７３】
［まとめ］  
以上のように、検出器１および報知器２のペアリングを検出器１および報知器２のそれぞれの無線通信機能を用いて行うので、パーソナルコンピュータ等の外部情報端末を各サービス拠点にペアリング用として用意する必要がない。これにより、コストの低減が図れるとともに、パーソナルコンピュータの扱いに慣れた作業員をサービス拠点に配置するといった人事面の課題も解消できる。
【００７４】
検出器１および報知器２の個々に対して外部情報端末の接続と取外しを繰返す作業が不要なので、ペアリングの作業が容易であり迅速となる。検出器１および報知器２を設置するときだけでなく、検出器１および報知器２の故障による交換や増設に際しても、ペアリングの作業をその設置現場で容易かつ迅速に行うことができる。
【００７５】
周波数チャンネルおよびシステムＩＤの設定に際し、基準周波数チャンネルおよび基準システムＩＤとは異なる初期周波数チャンネルおよび初期システムＩＤを自動的に表示するので、ペアリングに不慣れな作業員であっても、基準周波数チャンネルおよび基準システムＩＤとは異なる周波数チャンネルおよびシステムＩＤを容易に設定できる。この点でも、ペアリング作業の効率化が図れる。
【００７６】
報知器２は、画像および文字を表示する表示部２１と、音声案内およびミュージック音を出力する音出力部２８とを含み、検出器１からの通知に応じた警報を表示部２１の表示および音出力部２８の出力という複数系統の手段によって発する構成であるから、家族や介護者に対しても優しく気遣いがあって判り易い報知が可能である。
【００７７】
また、報知器２は、表示部２１の明るさ、音出力部２８の出力音量、音出力部２８の出力時間の長さを、表示部２１の案内表示およびその案内表示に応じた操作に基づき可変設定するための設定内容変更手段２０ｅを含み、パーソナルコンピュータ相当の外部処理端末と同じ役割を既に備える構成であるから、ペアリング設定を自己完結的に容易に実現できる。
【００７８】
なお、上記実施形態では、被介護者が玄関から出てい場合を例に説明したが、家庭でペットとして飼われている動物が玄関から出ていく場合にも同様の検出を行うことが可能である。認証キーを家族や介護者に持たせる考えは、認知症の被介護者が、認証キーを嫌がる、捨てる、破壊する場合が多いことから、家族や介護者に担持させることとしている。この標準的運用では、認証キーを持たせることが難しい大型ペットを室内飼いしている場合や、幼児が同居している家庭、家族以外の訪問者が多い家庭では、誤警報が多発し易くなってしまう。被介護者が、認証キーの担持を嫌がらない傾向にある場合には、逆に被介護者に認証キーを持たせる反転モードをモードスイッチ１８で設定すればよい。通常モードおよび反転モードのどちらが設定されているかについては、図４に示す初期画面４１における各種設定アイコンＡ１の下方に表示されている文字パターンが“Ｍ＋”であるか“Ｍ−”であるかにより識別することができる。すなわち、文字パターン“Ｍ＋”は通常モードが設定されていることを示し、文字パターン“Ｍ−”は反転モードが設定されていることを示す。通常モードおよび反転モードのどちらが設定されているかを表す情報は、検出器１から報知器２に送信されるデータの中に組み込まれる。複数台の検出器１を用いるネットワーク構成の場合、各検出器１のモード設定状態が互いに異なる場合には、“モードが一致していない”旨が検出器２の音声案内や文字表示により報知されその修正が促される。
【００７９】
上記実施形態では、１台の検出器１と複数台の報知器２のペアリングを例に説明したが、１台の検出器１と１台の報知器２のペアリング、複数台の検出器１と複数台の報知器２のペアリング、複数台の検出器１と１台の報知器２のペアリングもそれぞれ可能である。
【００８０】
上記実施形態では、生体の通過を超音波によって検出する構成としたが、超音波に限らず、赤外線光やレーザ光あるいはカメラの撮像画像を用いて検出してもよい。
【００８１】
上記実施形態では、外出通報装置を例に説明したが、例えば、入力操作部と出力部を持たない複数の温湿度センサをそれぞれ端末として分散配置し、その各端末の検知結果を無線通信により収集する温湿度収集システムにおいても、同一の無線通信部を各端末に設け、ディップスイッチなどを入力部として各端末に設け、７セグメントの発光ダイオード（ＬＥＤ）を出力部として各端末に設け、さらにローエンドマイクロコンピュータを制御部として設ける廉価な構成により、本願の外出通報装置と同様のペアリング設定機能を持たせることが可能である。上記実施形態の外出通報装置の場合、家族や介護者にも優しさを提供することを主眼として入力操作部と出力部を報知器２に持たせており、その入力操作部および出力部をペアリング設定に兼用する構成を採用している。
【００８２】
また、例えば、離床、転倒、ベッドからの転落、入浴中の事故などを検出器で検出し、その検出の旨を報知器に無線通信して警報を発する見守り・介護システムにおいても、同様のペアリング設定機能を持たせることが可能である。
【００８３】
その他、上記実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００８４】
１…検出器、２…報知器、３…認証キー、１０…コントローラ、１１…超音波センサ、１２…表示部、１６ａ…認証キー用無線通信部、１６ｂ…報知器用無線通信部、２０…コントローラ、２１…表示部、２１ａ…液晶ディスプレイ、２２…通音部、２７…無線通信部、２８…音出力部
【図１】
0006450693.tif 000002
【図２】
0006450693.tif 000003
【図３】
0006450693.tif 000004
【図４】
0006450693.tif 000005
【図５】
0006450693.tif 000006
【図６】
0006450693.tif 000007
【図７】
0006450693.tif 000008
【図８】
0006450693.tif 000009
【図９】
0006450693.tif 000010
【図１０】
0006450693.tif 000011
【図１１】
0006450693.tif 000012
【図１２】
0006450693.tif 000013
【図１３】
0006450693.tif 000014
【図１４】
0006450693.tif 000015
【図１５】
0006450693.tif 000016
【図１６】
0006450693.tif 000017